(57)【要約】  【課題】  ＩＣチップのリード／ライトテストが容易であり、無線ＩＣタグの製造工程を簡素化でき、製造コストを低く抑えることができる無線ＩＣタグを提供する。  【解決手段】  無線ＩＣタグ１０１は、ＩＣチップ１０２と、ＩＣチップ１０２の両側から延びる一対の銅細線１０８で構成される中間アンテナ１０３とを有する中間ＩＣタグ体１０４と、一対のアンテナパターン１１２で構成される本アンテナ１０６とを備える。中間ＩＣタグ体１０４の中間アンテナ１０３を本アンテナ１０６に重ねることにより、中間アンテナ１０３と本アンテナ１０６とが無線的に接続される。【選択図】  図２
2007065822.tif 000002
【特許請求の範囲】
【請求項１】
ＩＣチップと、前記ＩＣチップの両側から延びる一対の導線で構成される中間アンテナとを有する中間ＩＣタグ体と、
前記中間アンテナが重ねられて無線的に接続される一対のアンテナパターンで構成される本アンテナとを備えたことを特徴とする無線ＩＣタグ。
【請求項２】
前記本アンテナのアンテナパターンは、ベース部材の表面に導電性インキで印刷されていることを特徴とする請求項１に記載の無線ＩＣタグ。
【請求項３】
前記ベース部材に貼り付けられるシール部材を備えており、
前記ベース部材と前記シール部材との間に前記中間ＩＣタグ体が介在し、前記中間アンテナが前記本アンテナに重ねられて無線的に接続された状態で、前記シール部材が前記ベース部材に貼り付けられていることを特徴とする請求項２に記載の無線ＩＣタグ。
【請求項４】
前記中間ＩＣタグ体は、前記ベース部材の前記アンテナパターンの印刷面と反対の面に取り付けられていることを特徴とする請求項２または請求項３に記載の無線ＩＣタグ。
【請求項５】
一つの前記ベース部材に、複数の前記中間ＩＣタグ体が取り付けられており、
前記複数の中間ＩＣタグ体の中間アンテナは、前記一つのベース部材の本アンテナに重ねられて無線的に接続され、前記一つのベース部材の本アンテナを共用することを特徴とする請求項２〜請求項４のいずれかに記載の無線ＩＣタグ。
【請求項６】
前記中間アンテナは、前記ＩＣチップの両側からそれぞれ延びる複数の導線で構成されていることを特徴とする請求項１〜請求項５のいずれかに記載の無線ＩＣタグ。
【請求項７】
前記本アンテナは、一対の渦巻き状パターンを含むアンテナパターンで構成されており、
前記中間アンテナを構成する一対の導線は、前記一対の渦巻き状パターンを含むアンテナパターンにそれぞれ重ねられて無線的に接続されていることを特徴とする請求項１〜請求項６のいずれかに記載の無線ＩＣタグ。
【請求項８】
ＩＣチップと、前記ＩＣチップの両側から延びる一対の導線の中間アンテナとを備えたことを特徴とする中間ＩＣタグ体。
【請求項９】
台シート部材に剥離可能に貼り付けられる複数のシール部材と、請求項８に記載の複数の中間ＩＣタグ体とを備え、
前記中間ＩＣタグ体は、前記シール部材と前記台シート部材との間に介在されており、前記シール部材が前記台シートから剥離されたときに、前記シール部材にともなって前記台シート部材から剥離されるように、前記シール部材の接着面に接着されていることを特徴とする中間ＩＣタグ体セット。
【請求項１０】
ＩＣチップの両側に一対の導線の中間アンテナを接続して、中間ＩＣタグ体を形成し、
ベース部材の表面に一対のアンテナパターンを導電性インキで印刷して、本アンテナを形成し、
前記中間アンテナが前記本アンテナに重ねられて無線的に接続された状態になるように、シール部材を前記ベース部材に貼り付けて、前記中間ＩＣタグ体を前記ベース部材に取り付けることを特徴とする無線ＩＣタグの製造方法。
【発明の詳細な説明】
【技術分野】
【０００１】
本発明は、無線通信により情報の読出しや書込みが可能な無線ＩＣタグに関する。
【背景技術】
【０００２】
近年、商品の在庫情報や各種の料金情報などの情報管理を行うために、無線ＩＣタグが用いられている。無線ＩＣタグは、多くの情報を記憶させることができ、また、非接触の状態、すなわちリーダやライタに近接させただけの状態で、情報の読出しや書込みを行うことができるため、利便性が高い。
【０００３】
従来の無線ＩＣタグは、各種の情報が記憶されるＩＣチップと、無線通信を行うためのアンテナとで構成されている。そして、従来の無線ＩＣタグでは、アンテナを使った無線通信により、ＩＣチップからの情報の読出しおよびＩＣチップへの情報の書込みが行われる（例えば特許文献１参照）。
【０００４】
これまでの無線ＩＣタグでは、主に短波帯（３ＭＨｚ〜３０ＭＨｚ）の電波を用いて無線通信が行われていた。特に、最近では１３．５６ＭＨｚの電波を用いた無線ＩＣタグが、主流となり、世界規格ＩＳＯ１５６９３としても採用されている。そして、これからの無線ＩＣタグには、さらなる小型化が求められるだけでなく、経済産業省の響きプロジェクトの要請により、さらなる低コスト化が求められる。また、電波法の改正にともない、より周波数の高いＵＨＦ帯（３００ＭＨｚ〜３ＧＨｚ）の電波を用いた無線ＩＣタグの開発が期待されている。
【特許文献１】特開２００３−４４８１７号公報（第３−５頁、第１図）
【発明の開示】
【発明が解決しようとする課題】
【０００５】
しかし、従来の無線ＩＣタグの製造工程では、アンテナを形成するときに、エッチング法によって基板上にアンテナを形成する。また、ＩＣチップの電極にアンテナを接続するときには、異方性導電膜法（ＡＣＦ法）によってＩＣチップの電極にアンテナを電気的に接続する。そのため、無線ＩＣタグの製造工程が複雑であり、製造コストが高くなりがちであった。
【０００６】
また、従来は、完成品の無線ＩＣタグについて、ＩＣチップの情報読出し機能や書込み機能、情報通信機能の不良がないかを、非接触の状態で無線通信を行って検査するリード／ライトテストが行われている。そして、無線ＩＣタグ完成後の検査でＩＣチップの不良が発見されると、その不良品の無線ＩＣタグは廃棄処分される。そのため、無線ＩＣタグの歩留まりが低下し、その結果、製造コストを低く抑えるのが困難になる。
【０００７】
そこで、アンテナを接続する前のＩＣチップについて、リード／ライトテストの検査を行うことも考えられる。しかし、従来の無線ＩＣタグでは、ＩＣチップだけで非接触の状態での無線通信を行うことができないため、ＩＣチップの電極にテスタの電極を接触させて検査を行う必要がある。そのため、ＩＣチップのリード／ライトテストに手間がかかり、その結果、製造コストの増加につながることになる。
【０００８】
本発明は、上記の課題に鑑みてなされたもので、無線ＩＣタグの製造工程を簡素化でき、ＩＣチップのリード／ライトテストが容易であって、製造コストを低く抑えることができる無線ＩＣタグを提供することを目的とする。
【課題を解決するための手段】
【０００９】
本発明の無線ＩＣタグは、ＩＣチップと、前記ＩＣチップの両側から延びる一対の導線で構成される中間アンテナとを有する中間ＩＣタグ体と、前記中間アンテナが重ねられて無線的に接続される一対のアンテナパターンで構成される本アンテナとを備えている。
【００１０】
この構成により、中間アンテナが導線で構成されているので、例えば抵抗溶接法などによって、中間アンテナをＩＣチップに容易に接続することができる。また、本アンテナがアンテナパターンで構成されており、中間アンテナを本アンテナに重ねることにより、中間アンテナと本アンテナとが無線的に接続される。したがって、中間アンテナと本アンテナとを容易に接続することができ、無線ＩＣタグの製造工程が簡素化され、製造コストを低く抑えることができる。
また、中間ＩＣタグ体のＩＣチップの両側に中間アンテナが設けられているので、中間ＩＣタグ体のみでも非接触の状態での無線通信を行うことができる。したがって、中間ＩＣタグ体をリーダやライタに近接させただけの状態で、ＩＣチップのリード／ライトテストを容易に行うことができる。これにより、中間ＩＣタグ体を本アンテナに接続する前に、非接触の状態で無線通信を行ってＩＣチップのリード／ライトテストを行うことができる。したがって、無線ＩＣタグの完成前にＩＣチップの不良を発見することができ、無線ＩＣタグの歩留まりの低下を抑え、製造コストの低コスト化を図ることができる。
【００１１】
また、本発明では、前記本アンテナのアンテナパターンは、ベース部材の表面に導電性インキで印刷されていることが望ましい。
【００１２】
この構成により、本アンテナのアンテナパターンを導電性インキでベース部材に印刷することにより、本アンテナを容易に形成することができる。したがって、無線ＩＣタグの製造工程が簡素化され、製造コストを低く抑えることができる。
【００１３】
また、本発明では、前記ベース部材に貼り付けられるシール部材を備えており、前記ベース部材と前記シール部材との間に前記中間ＩＣタグ体が介在し、前記中間アンテナが前記本アンテナに重ねられて無線的に接続された状態で、前記シール部材が前記ベース部材に貼り付けられていることが望ましい。
【００１４】
この構成により、中間アンテナが本アンテナに重なるようにして、シール部材をベース部材に貼り付けることにより、中間アンテナと本アンテナとが無線的に接続される。したがって、中間アンテナと本アンテナとを容易に接続して固定することができ、無線ＩＣタグの生産性が向上して、製造コストを低く抑えることができる。
【００１５】
また、本発明では、前記中間ＩＣタグ体は、前記ベース部材の前記アンテナパターンの印刷面と反対の面に取り付けられていることが望ましい。
【００１６】
中間ＩＣタグ体を、ベース部材のアンテナパターンの印刷面と反対の面に取り付けて、中間アンテナを本アンテナに重ねても、中間アンテナと本アンテナとが無線的に接続される。したがって、中間アンテナと本アンテナとを容易に接続することができ、無線ＩＣタグの利便性が向上する。例えば、ベース部材の裏側の面にアンテナパターンを印刷しておき、ベース部材の表側の面に中間ＩＣタグ体を貼り付けるという便利な使い方ができる。
【００１７】
また、本発明では、一つの前記ベース部材に、複数の前記中間ＩＣタグ体が取り付けられており、前記複数の中間ＩＣタグ体の中間アンテナは、前記一つのベース部材の本アンテナに重ねられて無線的に接続され、前記一つのベース部材の本アンテナを共用することが望ましい。
【００１８】
この構成により、複数の中間ＩＣタグ体の各ＩＣチップに記憶された情報を、一つの本アンテナを共用して無線通信することができる。また、一つのベース部材に複数の中間ＩＣタグ体を適時取り付けることにより、時期や状況に応じた無線ＩＣタグの使用が可能となる。このように複数の中間ＩＣタグ体を使うことにより、無線ＩＣタグの用途が広がり、利便性が向上する。
【００１９】
また、本発明では、前記中間アンテナは、前記ＩＣチップの両側からそれぞれ延びる複数の導線で構成されていることが望ましい。
【００２０】
この構成により、中間アンテナを構成する導線の本数を増減させることにより、中間アンテナのＱ係数を調整することができる。例えば、中間アンテナを構成する導線の本数を増加させることにより、中間アンテナのＱ係数を大きくすることができる。ここで、Ｑ係数とは、共振周波数ωｏにおける電力の半値幅２Δωによって求められる係数であり（Ｑ＝ωｏ／２Δω）、アンテナの周波数選択度（例えば、アンテナの感度の鋭さ）を示す指数である。したがって、中間アンテナの設計自由度が大きくなる。例えば、中間アンテナを構成する導線の本数を増加させて、中間アンテナのＱ係数を大きくすることにより、中間アンテナの周波数選択度を上げる（例えば、中間アンテナの感度を鋭くする）ことができる。
【００２１】
また、本発明では、前記本アンテナは、一対の渦巻き状パターンを含むアンテナパターンで構成されており、前記中間アンテナを構成する一対の導線は、前記一対の渦巻き状パターンを含むアンテナパターンにそれぞれ重ねられて無線的に接続されていることが望ましい。
【００２２】
この構成により、本アンテナのアンテナパターンが渦巻き状パターンを含むアンテナパターンであるので、本アンテナの長さを無線電波の波長に応じて長く設定した場合であっても、所定の面積の領域内に長い本アンテナを巻き込んで収納できる。したがって、スペースの利用効率が向上し、無線ＩＣタグの小型化が可能となる。
【００２３】
本発明の中間ＩＣタグ体は、ＩＣチップと、前記ＩＣチップの両側から延びる一対の導線の中間アンテナとを備えている。
【００２４】
この構成により、中間アンテナが導線で構成されているので、例えば抵抗溶接法などによって、中間アンテナをＩＣチップに容易に接続することができる。したがって、中間ＩＣタグ体の製造工程が簡素化され、製造コストを低く抑えることができる。
また、中間ＩＣタグ体のＩＣチップの両側に中間アンテナが設けられているので、中間ＩＣタグ体のみでも非接触の状態での無線通信を行うことができる。したがって、中間ＩＣタグ体をリーダやライタに近接させただけの状態で、ＩＣチップのリード／ライトテストを容易に行うことができる。これにより、中間アンテナを本アンテナに接続する前に、非接触の状態で無線通信を行ってＩＣチップのリード／ライトテストを行うことができる。したがって、このような中間ＩＣタグ体を用いて無線ＩＣタグを製造することにより、無線ＩＣタグの完成前にＩＣチップの不良を発見することができ、無線ＩＣタグの歩留まりの低下を抑え、製造コストの低コスト化を図ることができる。
【００２５】
本発明の中間ＩＣタグ体セットは、台シート部材に剥離可能に貼り付けられる複数のシール部材と、上記の複数の中間ＩＣタグ体とを備え、前記中間ＩＣタグ体は、前記シール部材と前記台シート部材との間に介在されており、前記シール部材が前記台シートから剥離されたときに、前記シール部材にともなって前記台シート部材から剥離されるように、前記シール部材の接着面に接着されている。
【００２６】
この構成により、中間ＩＣタグ体とともにシール部材を台シート部材から剥離して、中間アンテナが本アンテナに重なるようにシール部材をベース部材に貼り付ける。このような中間ＩＣタグ体セットを用いて無線ＩＣタグを製造することにより、中間アンテナと本アンテナとを容易に無線的に接続して固定することができ、無線ＩＣタグの生産性が向上して、製造コストを低く抑えることができる。
【００２７】
本発明の無線ＩＣタグの製造方法では、ＩＣチップの両側に一対の導線の中間アンテナを接続して、中間ＩＣタグ体を形成し、ベース部材の表面に一対のアンテナパターンを導電性インキで印刷して、本アンテナを形成し、前記中間アンテナが前記本アンテナに重ねられて無線的に接続された状態になるように、シール部材を前記ベース部材に貼り付けて、前記中間ＩＣタグ体を前記ベース部材に取り付ける。
【００２８】
ＩＣチップに導線を例えば抵抗溶接法などで接続することにより、中間アンテナを容易に形成することができる。また、本アンテナのアンテナパターンを導電性インキでベース部材に印刷することにより、本アンテナを容易に形成することができる。さらに、中間アンテナを本アンテナに重ねることにより、中間アンテナと本アンテナとが無線的に接続され、中間アンテナと本アンテナとを容易に接続することができる。したがって、無線ＩＣタグの製造工程が簡素化され、製造コストを低く抑えることができる。
【発明の効果】
【００２９】
本発明は、中間アンテナを有する中間ＩＣタグ体と、中間アンテナが無線的に接続される本アンテナとを設けることにより、ＩＣチップのリード／ライトテストが容易であり、無線ＩＣタグの製造工程を簡素化でき、製造コストを低く抑えることができるという効果を有する無線ＩＣタグを提供することができる。
【発明を実施するための最良の形態】
【００３０】
以下、本発明の実施の形態の無線ＩＣタグについて、図面を用いて説明する。本実施の形態では、例えば、ＵＨＦ帯（３００ＭＨｚ〜３ＧＨｚ）の電波を用いて無線通信を行い、宅配サービスの集配情報、商品の在庫情報や盗難防止情報などの情報管理を行う無線ＩＣタグの場合を例示する。
【００３１】
（第１の実施の形態）
本発明の第１の実施の形態では、宅配サービスの集配情報を管理する無線ＩＣタグの場合を例示する。この場合、例えば、ＩＣチップには、宅配サービスの顧客情報や集配進捗状況などの集配情報が記憶されている。
【００３２】
このような第１の実施の形態の無線ＩＣタグを図１〜図４に示す。図１は、本実施の形態の無線ＩＣタグを構成する中間ＩＣタグ体と本アンテナの平面図である。また、図２は、中間ＩＣタグ体を本アンテナに貼り付けた無線ＩＣタグの平面図であり、図３は、無線ＩＣタグの側断面図である。そして、図４は、中間ＩＣタグ体の拡大平面図である。
【００３３】
図１〜図３に示すように、無線ＩＣタグ１０１は、ＩＣチップ１０２と中間アンテナ１０３を有する中間ＩＣタグ体１０４と、宅配サービス用紙１０５の表面（表側の面）に印刷される本アンテナ１０６とにより構成されている。図４に示すように、ＩＣチップ１０２の両側の角部には、一対のアンテナ接続用の電極１０７が設けられている。そして、ＩＣチップ１０２の一対の電極１０７には、一対の銅細線１０８がそれぞれ接続されている。このように、一対の銅細線１０８によって中間アンテナ１０３が構成されている。本実施の形態では、銅細線１０８は例えば抵抗溶接法などによって電極１０７に電気的に接続されている。また、中間アンテナ１０３の全長、すなわち一方の銅細線１０８の先端から他方の銅細線１０８の先端までの長さは無線通信に使用する電波の波長（例えば、λ＝３０ｃｍ）の１／５の長さに設定されている。このように、中間アンテナ１０３の全長を電波の波長の整数分の１の長さに設定することにより、中間アンテナ１０３の周波数選択度が高く（例えば、中間アンテナ１０３の感度が鋭く）なる。
【００３４】
図１に示すように、貼付け前の状態の中間ＩＣタグ体１０４は、裏面に接着層１０９が設けられたシール１１０と、表面に剥離処理が施された台紙１１１との間に介在されている。そして、中間ＩＣタグ体１０４は、シール１１０を台紙１１１から剥離したときに、シール１１０にともなって台紙１１１から剥離されるように、シール１１０の裏面の接着層１０９に接着されている。本実施の形態では、シール１１０の材料として、例えば、透明プラスチック製のシートや紙等が使用されている。
【００３５】
図１〜図３に示すように、本アンテナ１０６は、宅配サービス用紙１０５の表面に導電性インキで印刷される一対のアンテナパターン１１２である。本実施の形態では、本アンテナ１０６のアンテナパターン１１２は、左右一対の直線により構成されるバイポーラ直線形状とされている。そして、本アンテナ１０６の全長、すなわちバイポーラの一方の直線の先端から他方の直線の先端までの長さは無線通信に使用する電波の波長（例えば、λ＝３０ｃｍ）の１／２の長さに設定されている。このように、本アンテナ１０６の全長を電波の波長の整数分の１の長さに設定することにより、本アンテナ１０６の周波数選択度が高く（例えば、本アンテナ１０６の感度が鋭く）なる。また、導電性インキとしては、例えば、銀粒ペースト等を印刷用インキに添加した銀粒インクが使用されている。銀粒インクは、腐食しにくく、電気抵抗が小さいので、導電性インキとして適している。
【００３６】
貼付け前の状態の中間ＩＣタグ体１０４を製造する場合には、ＩＣチップ１０２のアンテナ接続用の各電極１０７に、例えば抵抗溶接法などによって各銅細線１０８を電気的に接続する。そして、中間ＩＣタグ体１０４を台紙１１１の上に載置して、その上からシール１１０を貼り付けて、中間ＩＣタグ体１０４を台紙１１１の表面とシール１１０の裏面との間に介在させる。
【００３７】
上記のような中間ＩＣタグ体１０４を使用するときには、中間ＩＣタグ体１０４が裏面に接着されたシール１１０を、台紙１１１から剥離する。このとき、中間ＩＣタグ体１０４はシール１１０にともなって台紙１１１から剥離される。そして、中間ＩＣタグ体１０４の一対の銅細線１０８が一対のアンテナパターン１１２にそれぞれ重なるように、シール１１０を宅配サービス用紙１０５の表面に貼り付ける。このようにして、中間アンテナ１０３を本アンテナ１０６に重ねると、中間アンテナ１０３と本アンテナ１０６とが電磁的な相互作用により無線的に接続される。なお、本実施の形態では、透明プラスチック製シートのシール１１０を使用しているので、作業者は、銅細線１０８がアンテナパターン１１２に重なるのを視認しながら貼付け作業を行うことができる。また、本実施の形態では、銅細線１０８には被膜が設けられており、銅細線１０８はアンテナパターン１１２に直接接していない。しかし、図３に示すように、銅細線１０８がアンテナパターン１１２に重なっていれば、銅細線１０８とアンテナパターン１１２とは無線的に接続される。これにより、中間アンテナ１０３と本アンテナ１０６とで一つのアンテナが形成され、中間アンテナ１０３および本アンテナ１０６が無線ＩＣタグ１０１のアンテナとして機能する。
【００３８】
上記のような無線ＩＣタグ１０１を用いて宅配サービスの集配情報を管理する場合、無線ＩＣタグ１０１は例えば下記のように使用される。まず、ＩＣチップ１０２に、宅配サービスの顧客情報や集配進捗状況などの集配情報を記憶させておく。そして、ＩＣチップ１０２を有する中間ＩＣタグ体１０４を、荷物に貼付された宅配サービス用紙１０５に貼り付けて、無線ＩＣタグ１０１とする。そして、宅配サービスの集配作業者が顧客先に荷物を宅配する際に、荷物の宅配サービス用紙１０５に取り付けられた無線ＩＣタグ１０１から顧客情報を読み取り、宅配が完了したときには宅配サービス用紙１０５の無線ＩＣタグ１０１に集配情報を書き込む。
【００３９】
このような第１の実施の形態の無線ＩＣタグ１０１では、中間アンテナ１０３が銅細線１０８で構成されているので、例えば抵抗溶接法などによって、中間アンテナ１０３をＩＣチップ１０２に容易に接続することができる。また、本アンテナ１０６がアンテナパターン１１２で構成されており、中間アンテナ１０３を本アンテナ１０６に重ねることにより、中間アンテナ１０３と本アンテナ１０６とが無線的に接続される。したがって、中間アンテナ１０３と本アンテナ１０６とを容易に接続することができ、無線ＩＣタグ１０１の製造工程が簡素化され、製造コストを低く抑えることができる。
【００４０】
また、中間ＩＣタグ体１０４のＩＣチップ１０２の両側に中間アンテナ１０３が設けられているので、中間ＩＣタグ体１０４のみでも非接触の状態での無線通信を行うことができる。本実施の形態では、中間アンテナ１０３の全長が無線通信に使用する電波の波長（例えば、λ＝３０ｃｍ）の１／５の長さに設定されており、これにより、中間ＩＣタグ体１０４は、数ｃｍの通信距離だけ電波を飛ばすことができる。したがって、中間ＩＣタグ体１０４を、リーダやライタから数ｃｍの距離まで近接させただけの状態で、ＩＣチップ１０２のリード／ライトテストを容易に行うことができる。これにより、中間ＩＣタグ体１０４を本アンテナ１０６に接続する前に、非接触の状態で無線通信を行ってＩＣチップ１０２のリード／ライトテストを行うことができる。したがって、無線ＩＣタグ１０１の完成前にＩＣチップ１０２の不良を発見することができ、無線ＩＣタグ１０１の歩留まりの低下を抑え、製造コストの低コスト化を図ることができる。
【００４１】
また、本実施の形態の無線ＩＣタグ１０１では、中間ＩＣタグ体１０４を本アンテナ１０６から取り外しておくことにより、本アンテナ１０６（本アンテナ１０６が印刷された宅配サービス用紙１０５）だけを廃棄して、中間ＩＣタグ体１０４を繰り返し使用することができる。
【００４２】
また、本実施の形態の無線ＩＣタグ１０１では、中間ＩＣタグ体１０４と本アンテナ１０６とが別体とされているので、ＩＣチップ１０２に記憶された情報を利用しようとする時に中間ＩＣタグ体１０４を本アンテナ１０６に取り付けることにより、利用者がＩＣチップ１０２の情報を利用する時分を選択することができる。
【００４３】
また、本実施の形態の無線ＩＣタグ１０１では、本アンテナ１０６のアンテナパターン１１２を銀粒インキで宅配サービス用紙１０５に印刷することにより、本アンテナ１０６を容易に形成することができる。したがって、無線ＩＣタグ１０１の製造工程が簡素化され、製造コストを低く抑えることができる。
【００４４】
また、本実施の形態の無線ＩＣタグ１０１では、中間アンテナ１０３が本アンテナ１０６に重なるようにして、シール１１０を宅配サービス用紙１０５に貼り付けることにより、中間アンテナ１０３と本アンテナ１０６とが無線的に接続される。したがって、中間アンテナ１０３と本アンテナ１０６とを容易に接続して固定することができ、無線ＩＣタグ１０１の生産性が向上して、製造コストを低く抑えることができる。
【００４５】
本実施の形態の中間ＩＣタグ体１０４では、中間アンテナ１０３が銅細線１０８で構成されているので、例えば抵抗溶接法などによって、中間アンテナ１０３をＩＣチップ１０２に容易に接続することができる。したがって、中間ＩＣタグ体１０４の製造工程が簡素化され、製造コストを低く抑えることができる。
【００４６】
また、中間ＩＣタグ体１０４のＩＣチップ１０２の両側に中間アンテナ１０３が設けられているので、中間ＩＣタグ体１０４のみでも非接触の状態での無線通信を行うことができる。したがって、中間ＩＣタグ体１０４をリーダやライタに近接させただけの状態で、ＩＣチップ１０２のリード／ライトテストを容易に行うことができる。これにより、中間アンテナ１０３を本アンテナ１０６に接続する前に、非接触の状態で無線通信を行ってＩＣチップ１０２のリード／ライトテストを行うことができる。したがって、このような中間ＩＣタグ体１０４を用いて無線ＩＣタグ１０１を製造することにより、無線ＩＣタグ１０１の完成前にＩＣチップ１０２の不良を発見することができ、無線ＩＣタグ１０１の歩留まりの低下を抑え、製造コストの低コスト化を図ることができる。例えば、従来の無線ＩＣタグでは、ＩＣチップだけで非接触検査を行うことができないので、ＩＣチップの静電容量を接触検査によって測定し、ＩＣチップの無線通信機能に不良がないか否か（電波が飛ぶか否か）を、静電容量の測定値の結果から予測していた。そのため、従来の無線ＩＣタグの完成品のなかには、ＩＣチップの静電容量の測定値は正常であっても、無線通信機能に不良がある（電波が飛ばない）製品が含まれることがあった。それに対して、本実施の形態の無線ＩＣタグ１０１では、中間ＩＣタグ体１０４だけでも、非接触の状態で無線通信を行ってＩＣチップ１０２のリード／ライトテストを実際に行うことができるので、無線ＩＣタグ１０１の完成前に、完成品と同レベルの品質検査（電波が飛ぶかどうかのチェック）を行うことができる。
【００４７】
本実施の形態の無線ＩＣタグ１０１の製造方法では、ＩＣチップ１０２に銅細線１０８を例えば抵抗溶接法などで接続することにより、中間アンテナ１０３を容易に形成することができる。また、本アンテナ１０６のアンテナパターン１１２を銀粒インキで宅配サービス用紙１０５に印刷することにより、本アンテナ１０６を容易に形成することができる。さらに、中間アンテナ１０３を本アンテナ１０６に重ねることにより、中間アンテナ１０３と本アンテナ１０６とが無線的に接続され、中間アンテナ１０３と本アンテナ１０６とを容易に接続することができる。したがって、無線ＩＣタグ１０１の製造工程が簡素化され、製造コストを低く抑えることができる。
【００４８】
（第２の実施の形態）
次に、本発明の第２の実施の形態の無線ＩＣタグの側断面図を図５に示す。ここでは、本実施の形態の無線ＩＣタグが第１の実施の形態と相違する点について主に説明する。特に断りがない限り、本実施の形態の無線ＩＣタグは第１の実施の形態と同一の構成とする。
【００４９】
図５に示す本実施の形態では、本アンテナ２０６のアンテナパターン２１２は、宅配サービス用紙２０５の裏面（裏側の面）に印刷されている。そして、中間ＩＣタグ体２０４は、宅配サービス用紙２０５の表面（表側の面）、すなわちアンテナパターン２１２が印刷された面と反対の面に、シール２１０によって貼り付けられている。本実施の形態では、宅配サービス用紙２０５の厚さは、本アンテナ２０６と中間アンテナ２０３との電磁的な相互作用を妨げることがなく、本アンテナ２０６と中間アンテナ２０３とが一つのアンテナとしての機能を確保できる程度に十分に薄い厚さとされている。
【００５０】
上記のように、本アンテナ２０６と中間アンテナ２０３との電磁的な相互作用を妨げることがなく、アンテナとしての機能を確保できる程度に、宅配サービス用紙２０５の厚さが十分薄いので、中間ＩＣタグ体２０４を、ベース部材２０５のアンテナパターン２１２の印刷面と反対の面に取り付けて、中間アンテナ２０３を本アンテナ２０６に重ねても、中間アンテナ２０３と本アンテナ２０６とが無線的に接続される。したがって、中間アンテナ２０３と本アンテナ２０６とを容易に接続することができ、無線ＩＣタグ１０１の利便性が向上する。例えば、宅配サービス用紙２０５の裏側の面にアンテナパターン２１２を印刷しておき、宅配サービス用紙２０５の表側の面に中間ＩＣタグ体２０４を貼り付けるという便利な使い方ができる。
【００５１】
（第３の実施の形態）
本発明の第３の実施の形態では、商品の在庫情報と盗難防止情報の二種類の情報を管理する無線ＩＣタグの場合を例示する。この場合、例えば、二つの中間ＩＣタグ体が使用される。一方の中間ＩＣタグ体は予め商品に貼り付けられており、そのＩＣチップには、商品の価格情報や在庫情報が記憶されている。そして、他方の中間ＩＣタグ体は、レジカウンターで商品に貼り付けられ、そのＩＣチップには、盗難防止の警報を解除する情報が記憶されている。
【００５２】
このような第３の実施の形態の無線ＩＣタグの平面図を図６に示す。ここでは、本実施の形態の無線ＩＣタグが第１の実施の形態と相違する点について主に説明する。特に断りがない限り、本実施の形態の無線ＩＣタグは第１の実施の形態と同一の構成とする。
【００５３】
図６に示す本実施の形態では、無線ＩＣタグ３０１の一つのベース部材３０５に、二つの中間ＩＣタグ体３０４Ａ，３０４Ｂが取り付けられている。そして、各中間ＩＣタグ体３０４Ａ，３０４Ｂの各一対の銅細線３０８Ａ，３０８Ｂはベース部材３０５の一対のアンテナパターン３１２に重ねられており、二つの中間アンテナ３０３Ａ，３０３Ｂは一つの本アンテナ３０６にそれぞれ無線的に接続されている。このようにして、二つの中間ＩＣタグ体３０４Ａ，３０４Ｂの中間アンテナ３０３Ａ，３０３Ｂが一つのベース部材３０５の本アンテナ３０６を共用している。
【００５４】
上記のような無線ＩＣタグ３０１を用いて商品の在庫情報と盗難防止情報の二種類の情報を管理する場合、無線ＩＣタグ３０１は例えば下記のように使用される。まず、一方のＩＣチップ３０２Ａに、商品の価格情報や在庫情報を記憶させるとともに、他方のＩＣチップ３０２Ｂに、盗難防止の警報を解除する情報を記憶させておく。そして、一方の中間ＩＣタグ体３０４Ａを商品に貼り付ける。
【００５５】
その後、商品の購入者がレジカウンターで支払いをする際に、レジ係が、一方のＩＣチップ３０２Ａから商品の価格情報や在庫情報を読み取るとともに、他方の中間ＩＣタグ体３０４Ｂを商品に貼り付ける。そして、他方の中間ＩＣタグ体３０４Ｂを貼り付けられた商品は、店舗の出口に設置されている警報装置の通過が許可される。
【００５６】
このような第３の実施の形態の無線ＩＣタグ３０１によれば、複数の中間ＩＣタグ体３０４Ａ，３０４Ｂの各ＩＣチップ３０２Ａ，３０２Ｂに記憶された複数の情報を、一つの本アンテナ３０６を共用して無線通信することができる。また、一つのベース部材３０５に複数の中間ＩＣタグ体３０４Ａ，３０４Ｂを適時取り付けることにより、時期や状況に応じた無線ＩＣタグ３０１の使用が可能となる。このように複数の中間ＩＣタグ体３０４Ａ，３０４Ｂを使うことにより、無線ＩＣタグ３０１の用途が広がり、利便性が向上する。
【００５７】
（第４の実施の形態）
次に、本発明の第４の実施の形態の無線ＩＣタグを図７〜図９に示す。図７は、本実施の形態の無線ＩＣタグを構成する中間ＩＣタグ体と本アンテナの平面図である。また、図８は、中間ＩＣタグ体を本アンテナに貼り付けた無線ＩＣタグの平面図であり、図９は、中間ＩＣタグ体の拡大平面図である。ここでは、本実施の形態の無線ＩＣタグが第１の実施の形態と相違する点について主に説明する。特に断りがない限り、本実施の形態の無線ＩＣタグは第１の実施の形態と同一の構成とする。
【００５８】
図７〜図９に示す本実施の形態では、無線ＩＣタグ４０１のＩＣチップ４０２の両側の角部の電極４０７に、それぞれ２本の銅細線４０８が接続されている（図９参照）。このように、各２本で一対の銅細線４０８によって中間アンテナ４０３が構成されている。そして、各２本の銅細線４０８が、本アンテナ４０６を構成する一対のアンテナパターン４１２にそれぞれ重ねられ、中間アンテナ４０３と本アンテナ４０６とが無線的に接続されている（図８参照）。
【００５９】
なお、本実施の形態では、ＩＣチップ４０２の両側の電極４０７にそれぞれ２本の導線が接続されている例について説明したが、ＩＣチップ４０２の両側の電極４０７にはそれぞれ３本以上の導線が接続されていてもよい。
【００６０】
このように、中間アンテナ４０３を構成する銅細線４０８の本数を増減させることにより、中間アンテナ４０３のＱ係数を調整することができる。例えば、中間アンテナ４０３を構成する銅細線４０８の本数を増加させることにより、中間アンテナ４０３のＱ係数を大きくすることができる。したがって、中間アンテナ４０３の設計自由度が大きくなる。例えば、中間アンテナ４０３を構成する導線４０８の本数を増加させて、中間アンテナ４０３のＱ係数を大きくすることにより、中間アンテナ４０３の周波数選択度を高く（例えば、中間アンテナ１０３の感度を鋭く）することができる。
【００６１】
（第５の実施の形態）
次に、本発明の第５の実施の形態の無線ＩＣタグを図１０および図１１に示す。図１０は、本実施の形態の無線ＩＣタグを構成する中間ＩＣタグ体と本アンテナの平面図であり、図１１は、中間ＩＣタグ体を本アンテナに貼り付けた無線ＩＣタグの平面図である。ここでは、本実施の形態の無線ＩＣタグが第１の実施の形態と相違する点について主に説明する。特に断りがない限り、本実施の形態の無線ＩＣタグは第１の実施の形態と同一の構成とする。
【００６２】
図１０および図１１に示す本実施の形態では、無線ＩＣタグ５０１の本アンテナ５０６が、ベース部材５０５の表面に印刷された一対の渦巻き状のアンテナパターン５１２によって構成されている。ベース部材５０５は略正方形状をしており、一対の渦巻き状のアンテナパターン５１２はそれぞれベース部材５０５の対角の両角部に配置されている。そして、中間アンテナ５０３を構成する一対の銅細線５０８は、一対の渦巻き状のアンテナパターン５１２にそれぞれ重ねられ、中間アンテナ５０３と本アンテナ５０６とが無線的に接続されている（図１１参照）。
【００６３】
本実施の形態において、本アンテナ５０６をベース部材５０５に形成する場合には、例えば、大きなベース部材用紙の表面に予め複数対の渦巻き状のアンテナパターン５１２を印刷しておき、大きなベース部材用紙を略正方形に切り分ける。これにより、本アンテナ５０６が形成されたベース部材５０５を容易に大量生産することができるので、無線ＩＣタグ５０１の製造コストを低く抑えることができる。
【００６４】
このような第５の実施の形態の無線ＩＣタグ５０１によれば、本アンテナ５０６のアンテナパターン５１２が渦巻き状パターンにより構成されているので、本アンテナ５０６の長さを無線電波の波長に応じて長く設定した場合であっても、所定の面積の領域内に長い本アンテナ５０６を巻き込んで収納できる。したがって、スペースの利用効率が向上し、無線ＩＣタグ５０１の小型化が可能となる。
【００６５】
以上、本発明の実施の形態を例示により説明したが、本発明の範囲はこれらに限定されるものではなく、請求項に記載された範囲内において目的に応じて変更・変形することが可能である。
【００６６】
以上の説明では、中間ＩＣタグ体を予めシール部材と台シート部材との間に介在させておき、シール部材を中間ＩＣタグ体とともに台シート部材から剥離して、ベース部材に貼り付けた例について説明したが、本発明の範囲はこれらに限定されるものではない。例えば、中間アンテナと本アンテナが重なるように中間ＩＣタグ体をベース部材に載置して、その上からシール部材を貼り付けて固定してもよい。
【００６７】
また、以上の説明では、一つの台シート部材には、一つの中間ＩＣタグ体を介在した一つのシール部材が貼り付けられている例について説明したが、本発明の範囲はこれらに限定されるものではない。例えば、図１２に示すように、一つの台シート部材６１１に、複数の中間ＩＣタグ体６０４を介在した複数のシール部材６１０が剥離可能に貼り付けられている中間ＩＣタグ体セット６１３であってもよい。各中間ＩＣタグ体６０４は、各シール部材６１０が台シート部材６１１から剥離されたときに、各シール部材６１０にともなって台シート部材６１１から剥離されるように、各シール部材６１０の接着面に接着されている。
この場合にも、シール部材６１０を中間ＩＣタグ体６０４とともに台シート部材６１１から剥離して、中間アンテナ６０３が本アンテナ６０６に重なるようにシール部材６１０をベース部材６０５に貼り付ける。このような中間ＩＣタグ体セット６１３を用いて無線ＩＣタグ６０１を製造することにより、中間アンテナ６０３と本アンテナ６０６とを容易に無線的に接続して固定することができ、無線ＩＣタグ６０１の生産性が向上して、製造コストを低く抑えることができる。
【００６８】
また、以上の説明では、中間アンテナを形成するときに、ＩＣチップの電極に導線を直接的に接続する例について説明したが、本発明の範囲はこれらに限定されるものではない。例えば、ＩＣチップの電極に接続用端子を電気的に接続しておき、その接続用端子に導線を電気的に接続して、中間アンテナを形成してもよい。
【００６９】
また、以上の説明では、ＵＨＦ帯の電波を用いて無線通信を行う例について説明したが、本発明の範囲はこれらに限定されるものではなく、例えば、他の周波数帯の電波を用いて無線通信を行なうものであってもよい。
【００７０】
また、以上の説明では、導線に被膜が設けられており、銅線がアンテナパターンに直接接していない例について説明したが、本発明の範囲はこれらに限定されるものではなく、例えば、銅線がアンテナパターンに直接接していてもよい。
【００７１】
また、以上の説明では、本アンテナのアンテナパターンが、一対の渦巻き状パターンで構成された例について説明したが、本発明の範囲はこれらに限定されるものではなく、例えば、本アンテナのアンテナパターンが、一対の渦巻き状パターンと直線パターンまたは曲線パターンとを組み合わせて構成されていてもよい。
【産業上の利用可能性】
【００７２】
以上のように、本発明にかかる無線ＩＣタグは、ＩＣチップのリード／ライトテストが容易であり、無線ＩＣタグの製造工程を簡素化でき、製造コストを低く抑えることができる無線ＩＣタグ等として有用である。
【図面の簡単な説明】
【００７３】
【図１】本発明の第１の実施の形態における中間ＩＣタグ体と本アンテナの平面図
【図２】本発明の第１の実施の形態における無線ＩＣタグの平面図
【図３】本発明の第１の実施の形態における無線ＩＣタグの側断面図
【図４】本発明の第１の実施の形態における中間ＩＣタグ体の拡大平面図
【図５】本発明の第２の実施の形態における無線ＩＣタグの側断面図
【図６】本発明の第３の実施の形態における無線ＩＣタグの平面図
【図７】本発明の第４の実施の形態における中間ＩＣタグ体と本アンテナの平面図
【図８】本発明の第４の実施の形態における無線ＩＣタグの平面図
【図９】本発明の第４の実施の形態における中間ＩＣタグ体の拡大平面図
【図１０】本発明の第５の実施の形態における中間ＩＣタグ体と本アンテナの平面図
【図１１】本発明の第５の実施の形態における無線ＩＣタグの平面図
【図１２】本発明の他の実施の形態における中間ＩＣタグ体セットと本アンテナの平面図
【符号の説明】
【００７４】
１０１  無線ＩＣタグ
１０２  ＩＣチップ
１０３  中間アンテナ
１０４  中間ＩＣタグ体
１０５  宅配サービス用紙（ベース部材）
１０６  本アンテナ
１０８  銅細線（導線）
１１０  シール（シール部材）
１１１  台紙（台シート部材）
１１２  アンテナパターン
６１３  中間ＩＣタグ体セット
【図１】
2007065822.tif 000003
【図２】
2007065822.tif 000004
【図３】
2007065822.tif 000005
【図４】
2007065822.tif 000006
【図５】
2007065822.tif 000007
【図６】
2007065822.tif 000008
【図７】
2007065822.tif 000009
【図８】
2007065822.tif 000010
【図９】
2007065822.tif 000011
【図１０】
2007065822.tif 000012
【図１１】
2007065822.tif 000013
【図１２】
2007065822.tif 000014